(57)【特許請求の範囲】
【請求項１】
断面Ｃ型パッキンを板状緊締部体の周側テーパ面間に設けると共に前記板状緊締部体に対し少くとも一側に複数個のキャスターを配設し、しかも中央部に前記板状緊締部体に対する緊締弛緩手段を設けたプラグを、管路などの区画壁内に搬入して所要の位置に設定し、前記パッキンを緊圧シールせしめ区画壁内流動物を閉塞せしめた条件下で所要の保守または管理などの区画壁内における作業をしてから前記プラグの緊圧シールを解除して移動または搬出することができ、更に、
区画壁内に搬入し得るようにされた両端面部材を連結したストッパー部体の周側に起倒可能な踏圧部体を配設し、しかも該ストッパー部体の周側にキャスターを配設したストッパーを前記プラグに対して併用し、区画壁内における前記プラグ内外間の圧力差条件においても該プラグ設定位置の安定化を図ることを特徴とした管路などの区画壁内保守管理方法。
【請求項２】
フレキシブルホースを介して管路外の安全管理機構に連結され、管路外において管路内の安全性を管理しながら実施することを特徴とした請求項１記載の管路などの区画壁内保守管理方法。
【請求項３】
前記プラグを緊圧シールせしめた区画壁内の一部に自然または加圧による注排水または注排気をなし保守管理作業することを特徴とした請求項１又は２記載の管路などの区画壁内保守管理方法。
【請求項４】
区画壁内に搬入し得るように形成され、断面Ｃ型パッキンを板状緊締部体の周側テーパ面間に設けると共に前記板状緊締部体に対し少くとも一側に複数個のキャスターを配設し、しかも中央部に前記板状緊締部体に対する緊締弛緩手段を設けたプラグと、
区画壁内に搬入し得るように形成され、両端面部材を連結したストッパー部体の周側に起倒可能な踏圧部体を配設し、しかも該ストッパー部体の周側にキャスターを配設したストッパーとを備えることを特徴とした管路などの区画壁内保守管理装置。
【請求項５】
断面Ｃ型パッキンの複数個を板状緊締部体の周側テーパ面間に設けると共にそれら複数個の断面Ｃ型パッキンの間に両側に周側テーパ面を形成した板状緊締部体を介装したことを特徴とする請求項４に記載の管路などの区画壁内保守管理装置。
【請求項６】
管路などにより区画壁によって形成された通路に分岐した出入口を形成し、該出入口からプラグおよびストッパーの何れか一方または双方を搬入または搬出するようにしたことを特徴とする請求項４又は５記載の管路などの区画壁内保守管理装置。
【請求項７】
プラグ、ストッパーの何れか一方または双方に管路外に設けた安全管理機構をフレキシブル導体を介して連結させたことを特徴とする請求項４乃至６のいずれかに記載の管路保守管理装置。
【発明の詳細な説明】
【０００１】
【発明の属する技術分野】
本発明は管路などの区画壁内保守管理方法およびその装置に係り、管路の工事や保守整備点検の如きを単一管路の各部ないし全般において簡易且つ適宜に的確で、しかも能率的且つ短時間内に効率よく実施することのできる方法およびその装置を提供しようとするものである。
【０００２】
【従来の技術】
相当の距離に亘って鋼板等により一連に形成された管路のような区画壁内についてその保守管理を的確に実施することはそれぞれの現場において各種作業をなし、また環境を整備するような場合に不可欠的であって、従来から種々の方法が実施されているが、近時において内径が１ｍを超える条件下においてそうした管路を保守管理することに関しては的確に閉塞すること自体が相当に困難で、特に特定部分のみで閉塞し、また排水（排出）、漲水、洗浄等の作業をなし、安全な作業条件を形成し、それなりの注排水操作を併用して実施されている。即ち、上述した管路の閉塞については伸縮性袋体をエヤパックとして管路内に設定し、加圧空気を圧入してシールするようなことが行われている。
【０００３】
特に近時における原子炉などの関連設備においては被ばくの程度如何によって作業時間が制限され、また人体ないし人命に半永久的な傷害を与える可能性が高い。従ってこのような設備においては入念で高精度の保守管理をなすことが強く求められている。
【０００４】
【発明が解決しようとする課題】
然し上記したような従来の保守管理技術にあっては管路などの区画壁内の保守管理に相当の工数と時間を必要とする不利がある。即ち上記したような従来技術において管路の閉塞を完全状態に形成することが不可欠であるに拘わらず、そうした管路の閉塞をなすためには一般的に相当の長さ（厚さ）範囲に亘って閉塞することが必要で、その仕事量が多く、必然的に多くの工数と時間を必要とする。
【０００５】
特に上記したような管路の如きは近時において圧延鋼板の如きを用い一般的に平滑な内面を形成しているのが普通であるからそうした平滑な内面に対してエアーパック法などによる閉塞部体を的確に止着することは相当に困難であって、安定で的確な止着が得られないならば閉塞すると自体が基本的に達成できないこととなる。また粗面化して滑り止め機能を得しめ止着を容易化するならばその粗面化壁面に対する密閉、閉塞が困難となることは当然で、何れにしても密閉、閉塞が至難であることは明かである。前記エアーパックにより有効なシールを得るには管路などの区画壁における相当の長さ範囲でシールすることが必要でエアーなどの充填量が大となり、相当の工数を必要とすることは当然である。しかもそれによって得られる圧力差は0.２kg／cm2 程度であって、この程度の圧力差では効率的な注排水作業等をなすことが困難であるからそれなりの他の技術手段を併用する必要があり、また圧力流体の供給を連続的に行い、しかも作業状態を監視することが必要である。
【０００６】
また仮りに目的の位置において管路を有効に閉塞したとしても、該閉塞区間内を短時間内に注排水するようなことは容易でない。即ち成程閉塞できたとしても有効なシール状態の形成されていないことが普通であるから１kg／cm2 以上のような圧力差を形成することが困難で、例えば注水や排水をなすことにより有効な管路における一部の閉塞をなし得ることが知られていてもその注排水などに空気やガスなどの気体を採用し、高い圧力差条件を利用した急速且つ効率的で精度の高い注排水が容易に行われない。つまり上記のような管路を保守管理するには少くとも管路を密閉状態に閉塞し、水流を遮断したような条件を形成することが必要であるがそうした水流の遮断、閉塞を管路の任意の位置で行うことはできず、一応閉塞遮断できてもそれなりの液体または気体の洩れ発生が不可避で、短時間内の処理ができず、またそれなりに長い範囲に亘って閉塞施工することが普通であって、何れにしても相当の長い距離区間についての区画壁内全体を処理操作し、工事完了後に区画壁内全体に水を張り、加圧または洗滌し、試験することが一般的であって、長時間に亘る処理とならざるを得ない。
【０００７】
即ち斯様な従来法によると相当に長い区間に関しては一度に相当多量の水が必要で水資源上不利であり、またそれなりの洩れが不可避であるから相当の長時間に亘る作業を必要とする不利がある。また排水についても同様に長時間の作業とならざるを得ないことは注入の場合と同様であって、特に水位レベルが低下した後の排水には特別な吸取りや吸収などの相当に複雑煩瑣な工程、工数と時間を必要とし、しかも漏洩水などの量も増加することから次第に非能率的な作業を強いられることとならざるを得ないことは明かである。
【０００８】
特に原子力設備の如きにおいては上記したような管路などによる区画壁がそれぞれの条件に応じて適宜に採用されることが多く、それによって放射性物質などの漏洩を防止することが多いが、斯うした設備においては前記したような漏洩も大となり、非能率性が大であって、放射性物質の漏洩に伴う危険性が発生して環境を汚染するようなこととならざるを得ないことも明かである。
【０００９】
【課題を解決するための手段】
本発明は上記したような従来技術における課題を解決することについて検討を重ね、操作性に優れ、比較的コンパクトな設備によって管内のような区画壁内を瞬間的に的確な閉塞シールを得しめ、区画壁内の保守点検乃至施工その他の各種作業を簡易且つ能率的に実施することに成功したものであって、以下の如くである。
【００１０】
第１の発明に係る管路などの区画壁内保守管理方法は、断面Ｃ型パッキンを板状緊締部体の周側テーパ面間に設けると共に前記板状緊締部体に対し少くとも一側に複数個のキャスターを配設し、しかも中央部に前記板状緊締部体に対する緊締弛緩手段を設けたプラグを、管路などの区画壁内に搬入して所要の位置に設定し、前記パッキンを緊圧シールせしめ区画壁内流動物を閉塞せしめた条件下で所要の保守または管理などの区画壁内における作業をしてから前記プラグの緊圧シールを解除して移動または搬出することができ、更に、区画壁内に搬入し得るようにされた両端面部材を連結したストッパー部体の周側に起倒可能な踏圧部体を配設し、しかも該ストッパー部体の周側にキャスターを配設したストッパーを前記プラグに対して併用し、区画壁内における前記プラグ内外間の圧力差条件においても該プラグ設定位置の安定化を図ることを特徴とするものである。
【００１１】
第２の発明に係る管路などの区画壁内保守管理方法は、第１の発明において、フレキシブルホースを介して管路外の安全管理機構に連結され、管路外において管路内の安全性を管理しながら実施することを特徴とするものである。
【００１２】
第３の発明に係る管路などの区画壁内保守管理方法は、第１又は第２の発明において、前記プラグを緊圧シールせしめた区画壁内の一部に自然または加圧による注排水または注排気をなし保守管理作業することを特徴とした請求項１又は２記載の管路などの区画壁内保守管理方法。
【００１３】
第４の発明に係る管路などの区画壁内保守管理装置は、区画壁内に搬入し得るように形成され、断面Ｃ型パッキンを板状緊締部体の周側テーパ面間に設けると共に前記板状緊締部体に対し少くとも一側に複数個のキャスターを配設し、しかも中央部に前記板状緊締部体に対する緊締弛緩手段を設けたプラグと、区画壁内に搬入し得るように形成され、両端面部材を連結したストッパー部体の周側に起倒可能な踏圧部体を配設し、しかも該ストッパー部体の周側にキャスターを配設したストッパーとを備えることを特徴とするものである。
【００１４】
第５の発明に係る管路などの区画壁内保守管理装置は、第４の発明において、断面Ｃ型パッキンの複数個を板状緊締部体の周側テーパ面間に設けると共にそれら複数個の断面Ｃ型パッキンの間に両側に周側テーパ面を形成した板状緊締部体を介装したことを特徴とするものである。
【００１５】
第６の発明に係る管路などの区画壁内保守管理装置は、第４又は５の発明において、管路などにより区画壁によって形成された通路に分岐した出入口を形成し、該出入口からプラグおよびストッパーの何れか一方または双方を搬入または搬出するようにしたことを特徴とするものである。
【００１６】
第７の発明に係る管路などの区画壁内保守管理装置は、４乃至６のいずれかの発明において、プラグ、ストッパーの何れか一方または双方に管路外に設けた安全管理機構をフレキシブル導体を介して連結させたことを特徴とするものである。
【００１７】
上記したような本発明によるものは、管路などの区画壁内に緊締手段によりリング状パッキンを緊締または弛緩し得ると共に前記区画壁内を移動操作し得るようにしたプラグを搬入して所要の位置に設定することにより、管路のような平滑且つ整然たる壁面に対し整形されたパッキング材による手動操作の如き簡易且つ迅速な設定、定着操作により区画壁内の如きにおける適宜の位置に設定し、あるいは随時に移動せしめて設定変更することができ、特に管路のような金属材壁面に対しても安定且つ的確な適用を可能とする。
【００１８】
前記パッキンを緊圧シールせしめ区画壁内流動物を閉塞せしめた条件下で所要の保守管理作業してから前記プラグの緊圧シールを解除して移動または搬出することにより管路の如き区画壁に対し迅速な施工作業をなすことができ、また管路のような区画壁を変形損傷することも皆無であって好ましい施工が簡易且合理的に実施することができる。
【００１９】
プラグに対しストッパーを併用し区画壁内における該プラグ内外における圧力差条件においても該プラグ設定位置の安定化を図ることによって鋼管その他の圧延成形金属材による平滑な壁面に対しても、上述したような手作業的操作で設定し得るパッキンの如きシール手段で的確なシール設定を平易且つ的確に行わしめて上述したような本発明の特質性を合理的に得しめる。
【００２０】
プラグおよびストッパーの双方に複数個のキャスターを配設し、該キャスターにより区画壁内に搬入搬出すると共に移動操作してプラグのパッキングを緊圧シールし、あるいは緊圧シールを解除することによりそれなりに大型なプラグまたはキャスターを上述同様に作業者の手作業的操作で、平易且つ円滑に移動操作して相当の大型なプラグおよびストッパーによる保守管理作業を合理的且つ的確に実施せしめる。
【００２１】
フレキシブルホースを介し管路などの区画壁外に設けられた安全管理機構に連結され、区画壁外において該区画壁内の安全度を管理しながら実施することにより区画壁外における的確な安全管理条件を形成、確認することができ、そうした安全管理条件下において適正な保守管理を適切に実施せしめ、またそうした保守管理条件下において所要且つ適宜の作業を行わしめ得る。
【００２２】
上記したような１組のプラグを所要の間隔を採って緊圧シールせしめた区画壁内の一部に自然または加圧による注排水または注排気をなし保守管理し、また所要の作業をすることによって目的とする区画壁内を空気または水のような流体を利用した自然力利用の管理条件下において安全且つ適切で、充分にコントロールされた保守管理を迅速で精度の高い条件下において目的の処理ないし作業を実施せしめる。
【００２３】
断面Ｃ型パッキンを板状緊締部体の周側テーパ面間に設けると共に前記板状緊締部体に対し少くとも一側に複数個のキャスターを配設し、しかも中央部に前記板状緊締部体に対する緊締弛緩手段を設けたことによって緊締部体に対する該緊締弛緩手段の操作により簡易且つ的確に管路などの区画壁内に対する緊締シール操作を円滑に行わしめる。
【００２４】
断面Ｃ型パッキンの複数個を板状緊締部体の周側テーパ面間に設けると共にそれら複数個の断面Ｃ型パッキンの間に両側に周側テーパ面を形成した板状緊締部体を介装したことによって複数個の断面Ｃ型パッキンおよび板状緊締部体を配設した区画壁内保守管理装置を提供し、コンパクトな機構で管路内の如きに安定した設定と有効なシールによる好ましい管理を図らしめる。
【００２５】
管路などにより区画壁によって形成された通路に分岐した出入口を形成し、該出入口からプラグおよびストッパーの何れか一方または双方を搬入または搬出するようにしたことによって管路などの区画壁内に上記したようなプラグおよびストッパーの何れか一方または双方を平易且つ短時間内に搬入または搬出せしめて目的の保守管理および各種の作業を容易に行わしめる。
【００２６】
板状緊締部体間に複数の断面Ｃ型パッキンを複合して介装し、前記した各板状緊締部体の外面にそれぞれキャスターを配設したことにより、断面Ｃ型パッキンを複合して管路などの区画壁内にセットすることを可能とし、それによって有効なシール設定を平易且つ的確に達成せしめて適切有効な保守管理および目的の区画壁内作業を行わしめる。
【００２７】
区画壁内に搬入し得るようにされた両端面部材を連結したストッパー本体の周側に起倒可能な踏圧部体を配設し、しかも該ストッパー部体の周側にキャスターを配設したストッパーを連結したことによって区画壁内に平易に搬入し得るストッパーによって管路などの平滑な区画壁内に対し平易に出入操作せしめ、キャスターによって自在に移動操作し得るストッパー本体が踏圧部体の起倒により区画壁内の適宜の位置に停止固定化されてストッパー作用を有効に得しめる。
【００２８】
プラグ、ストッパーの何れか一方または双方に管路のような区画壁外に設けた安全管理機構をフレキシブル導体を介して連結させたことにより区画壁外に設けた安全管理機構において区画壁内における保守管理条件を適切に表示、監視することを可能とし、それらによる的確な安全管理を図った条件下で保守管理ないし作業を行わしめる。
【００２９】
【発明の実施の形態】
上記したような本発明によるものの具体的な実施の態様を添附図面に示すものについて説明すると、本発明においてプラグ１の具体例は図１、図２と図３および図４に示す如くで、またこのようなプラグに併用されることが好ましいストッパー２の１例は図５に示す如くである。即ちプラグ１およびストッパー２は何れも適用される管路などの区画壁内径に即応し、管路などの内部に装入された場合に区画壁内面との間に少許の間隙を存せしめて自由に移動操作し得る外径を有している。
【００３０】
図１と図２に示すものは単一のプラグ１を採用したものであって、前後にキャスター２３を配設した側板２１と該側板２１の一側に取付けられたリング板１１を有し、前記側板２１に設けられた中心軸筒３０で一体化して組みつけられ、該中心軸筒３０に螺合された緊締手段１２でパッキング材１０に対する緊締突出状態を適宜に調整し得るようにされたものであって、単一のパッキン材１０を用いたプラグ１は中心軸筒３０の一端部に取付けられた側板２１の一側に弾性リング３２が環設され、前記パッキン材１０は緊締手段１２による絞込み操作でテーパリング３１が締込まれ、両側テーパ面１９、１９間の距離が変化することによって半径方向外側に押し出されて区画壁３の内面をシールし、あるいは縮入してシールを解消するように成っている。なお前記パッキン材１０の前後におけるキャスター２３は半径方向に若干突出するが基本的には薄型に形成され、取扱操作や移動操作性に優れたものとして得られることは明らかである。
【００３１】
なお、上記したテーパリング３１は中心軸筒３０に軸環３５で装着されたスライド部材３３における押圧部３４の押圧を受け、該スライド部材３３に対しては前記した緊締手段１２による締込み作用が与えられることは図１、２において示す如くであるが、中心軸筒３０には側板２１が固定され、該側板２１とリング板１１のコーナ部には硬度を異にした弾性材であるコーナゴム材３２が取付けられ、該コーナゴム材３２と上述したテーパリング３１とが対向してパッキング材１０の両側に形成されたテーパ面１９に接合するように成っている。
【００３２】
然して、前記プラグ１は別に図２や図４においてその断面が明らかにされているような断面Ｃ型のゴム質の如きである輪状パッキン材１０を安定な封塞状態を形成するために好ましくは２本組として採用し、即ち、パッキン材１０、１０の側面および中間に鋼板の如きであるテーパリング３１を添装ないし介装せしめ、これらのテーパリング３１を緊締手段１２によって緊締することにより前記パッキン材１０の中間部を外周方向に膨出せしめて区画壁内面を緊圧シールするように成っている。
【００３３】
前記のようにパッキン材１０が複数本採用され、テーパリング３１が配装されたものは区画壁内に搬入されることによって管路などの区画壁内軸方向に対し横断面状に設定されるが、斯様な端面押え板１１の底部に対しては上述したように複数個のキャスター１３が配設されていて管路のような区画壁内における移動操作を容易ならしめ、作業者などの手による押進によって区画壁内の適宜の位置に移動せしめ得る。なおパッキン材１０についてはチューブを併用し空気圧などによって閉塞シールせしめてもよいが、上記のように押え板１１、１１による緊締操作で膨出せしめるならば高圧空気などを必要とせず、比較的肉厚なシール材を採用し高圧空気などの特別な配管を必要としないで平易に膨出せしめ、適当なシール接合状態を形成し得る。
【００３４】
上記したようなプラグ１に対し併用されるストッパー２は図５に示す如くであって、プラグ１と同径程度の側板２１、２１を連結部材２２、２２によって一体的に組みつけて円形枠型とすると共に底部にキャスター２３を配設して管などの区画壁内における移動性を確保する。また前記のような円形枠型部体の周側部には複数個の踏圧部２４を配設し、即ちそれらの踏圧部２４はその一側に設けられた取付軸２５を中心とし回動し得るように設けられたものであって、取付軸２５を中心とした回動によって踏圧部２４が円形枠２０の外側に突出し管体などの区画壁内面を踏圧して固定化するように構成されたものである。なおこのような踏圧固定化については、工具を用いた作業者の手作業でよいことは当然であるが、油圧式または機械式のジヤッキ機構を採用することにより円滑な操作を行わせ得ることは明かである。
【００３５】
なお本発明によるものは管路などの区画壁内において採用されるに当って管路内の設定圧力に対し安全性を確保するため、図９に示すようなゲージ１８、ラプチャーディスク１９を備えた安全性監視機構６を区画壁外部に設け、別に図６と共に図８として示されるような可撓管１６を本発明の管理装置部分から導出し、前記監視機構６を図８に示すような区画壁３の出入口５を介して出入口５の外部大気域に設けた監視機構６によって異状圧力などを監視し、異状圧力などに対してはゲージ１８に表示すると共に安全弁が作動できる構成とすることができる。
【００３６】
また前記したプラグ１は図３に示すように締込みソケット１４、ラチエット１５締込みハンドル１７などで調整操作され、またアイボルト１８によって吊上げ操作されて前記した出入口５などに対し装脱操作される。更にストッパー２は締め込みハンドル２６、トルクレンチ２７、ジヤッキハンドル２８などによって調整操作され、アイボルト２９によって吊上げ操作されることはプラグ１と同じである。
【００３７】
上記したような本発明方法によるものの具体的な実施態様について説明すると、図１に示すようなプラグ１およびストッパー２を用いて内径が６５０mmの管路（区画壁）内に出入口５から該プラグ１およびストッパー２を装入して所定の位置に定着セットするのに必要な時間は一般的に数分以内であり、従来技術として好ましい手法とされる多数の風船のような膨脹体をセットして各膨脹体内に空気を圧入し膨脹させて閉塞する方法に比較して閉塞のための必要時間は大幅に低減され、しかも区画壁内の閉塞は常に正確に達成されることが確認された。
【００３８】
また従来のエアーパック工法の如き管路内閉塞手法によるものは閉塞域が管路の長さ方向において少くとも１ｍ以上のような相当の長い範囲となり、しかも得られる圧力差はせいぜい0.２kg／cm2 程度であって、何れにしても工数、工期が大とならざるを得ないが、本発明によるときは閉塞域の幅が２０cm以下でよいこととなり、頗る短小で、キャスターによって管路内を円滑に移動操作し、得られる圧力差も２kg／cm2 を超え、2.５kg／cm2 にも達するので能率的な注排水や注排気を可能とするから何れにしても効率的で簡易迅速に処理作業せしめる。
【００３９】
【発明の効果】
以上説明したような本発明によるときは簡易且つ短時間の操作で目的の施工位置に的確に設定せしめると共にプラグの内外における圧力差を充分に大きいものとして能率的に注排水または注排気その他の操作を行わしめ、また装置の構成を充分に簡易且つ小型としてその取扱いを容易且つ円滑化せしめるなどの効果を有しており、工業的にその効果の大きい発明である。
【図面の簡単な説明】
【図１】  本発明によるプラグの１つについての部分的な正面図である。
【図２】  図１におけるイ・・・・イ線にそった断面図である。
【図３】  本発明におけるプラグの１例についての斜面図であって、操作部体などを併せて示した説明図である。
【図４】  図３に示したものについての図２におけるものと同じ断面位置における断面図である。
【図５】  本発明におけるストッパーの１例についての斜面図であって、操作部体などを併せて示した説明図である。
【図６】  本発明によるものを管路のような区画壁内に搬入し設定する操作状態を示した断面的説明図である。
【図７】  本発明プラグの操作状態を示した斜面図である。
【図８】  本発明におけるプラグとストッパーを区画壁内に設定した状態の斜面図である。
【図９】  本発明において採用される安全装置の１例を示した斜面図である。
【符号の説明】
１  プラグ
２  ストッパー
３  区画壁
５  出入口
６  安全性監視機構
７  受座部
１０  パッキン材
１１  リング板
１２  緊締手段
１３  キャスター
１４  締込みソケット
１５  ラチェット
１６  可撓管
１７  締込みハンドル
１８  アイボルト
１９  テーパ面
２０  円形枠
２１  側板
２２  連結部材
２３  キャスター
２４  踏圧部
２５  取付軸
２６  締込みハンドル
２７  トルクレンチ
２８  ジヤッキハンドル
２９  アイボルト
３０  中心軸筒
３１  テーパリング
３２  弾性リング
３３  スライド部材
３４  押圧部
３５  軸環
【図１】
0004415127.tif 000002
【図２】
0004415127.tif 000003
【図３】
0004415127.tif 000004
【図４】
0004415127.tif 000005
【図５】
0004415127.tif 000006
【図６】
0004415127.tif 000007
【図７】
0004415127.tif 000008
【図８】
0004415127.tif 000009
【図９】
0004415127.tif 000010